(57)【特許請求の範囲】
【請求項１】
傘骨（４）の先端部に設けられた露先（１３）が、傘骨（４）の先端部に外嵌装着される嵌合部（１５）と、嵌合部（１５）の先端側から傘布（５）の周方向両側に突設された一対の翼部（１６）とを備え、一対の翼部（１６）が傘布（５）の外周部（５ａ）に固着されていて、
翼部（１６）に糸挿通部（１９）が貫通状に形成され、この糸挿通部（１９）に縫い糸（２１）を挿通して翼部（１６）が傘布（５）の外周部（５ａ）に縫い付けられており、
傘布（５）の外周部（５ａ）は、内布部（１０）を外布部（９）に対して折り返して逢着されたものとされており、
縫い糸（２１）は、外布部（９）の外面に露出しないように、内布部（１０）のみに縫い付けられている
ことを特徴とする傘。
【請求項２】
前記糸挿通部（１９）は、翼部（１６）に貫通形成した挿通孔又は翼部（１６）の外面に貫通状に没入形成した挿通溝により構成されていることを特徴とする請求項１に記載の傘。
【請求項３】
各翼部（１６）に糸挿通部（１９）がそれぞれ形成され、各翼部（１６）が別々の縫い糸（２１）によりそれぞれ別個に傘布（５）の外周部（５ａ）に縫い付けられていることを特徴とする請求項１又は２に記載の傘。
【請求項４】
前記一対の翼部（１６）は、一方の翼部（１６）の糸挿通部（１９）と他方の翼部（１６）の糸挿通部（１９）とに挿通した共通の縫い糸（２１）で傘布（５）の外周部（５ａ）に縫い付けられていることを特徴とする請求項１又は２に記載の傘。
【請求項５】
前記糸挿通部（１９）は翼部（１６）に対して傘布（５）の厚み方向に貫通形成されていることを特徴とする請求項１〜４のいずれか１項に記載の傘。
【発明の詳細な説明】
【技術分野】
【０００１】
本発明は、傘骨の先端部に設けられた露先を備える傘に関するものである。
【背景技術】
【０００２】
傘は傘骨の先端部に設けられた露先を備えたものが一般的である。この種の従来の傘には、傘を開いた状態で露先の先端部が他人の顔などに当たるおそれがあるため、傘の先端部に設けた露先を弓形の板材により構成して、露先の先端側を傘布の周方向に拡げると共に、露先を傘布の外周部により包み込むようにしたものがある（例えば特許文献１）。
また、他の従来の傘には、傘骨の先端部に錨型キャップを装着し、この錨型キャップの両側に突出した糸通し管にナイロンテグスを通して全傘骨の先端部を結び、傘布を裏側迄回して傘骨の先端部を覆ったものがある（例えば特許文献２）。
【先行技術文献】
【特許文献】
【０００３】
【特許文献１】特開昭５４−９７１４７号公報
【特許文献２】実開昭５０−７７０５１号公報
【発明の概要】
【発明が解決しようとする課題】
【０００４】
しかし、従来の場合、傘骨の先端部に装着した露先は、傘布の外周部に固着されておらず、このため傘布の外周部が傘骨の先端部に対して大きく移動したりガタ付いたりした。また、傘骨の先端部が傘布の外周部で被覆されているため、傘布の外周部が傘骨の先端部で傷つけられて破損するおそれが大であった。
本発明は上記問題点に鑑み、露先の先端側を傘布の周方向に広げることができると共に、傘布の外周部を傘骨の先端部に対して安定に位置決め固定しておくことができ、しかも傘布の外周部が傘骨の先端部で傷つけられて破損するのを防止できる傘を提供することを目的としている。
【課題を解決するための手段】
【０００５】
本発明における課題解決のための具体的手段は、次の通りである。
この技術的課題を解決する本発明の技術的手段は、傘骨４の先端部に設けられた露先１３が、傘骨４の先端部に外嵌装着される嵌合部１５と、嵌合部１５の先端側から傘布５の周方向両側に突設された一対の翼部１６とを備え、一対の翼部１６が傘布５の外周部５ａに固着されている点にある。
【０００６】
また、本発明の他の技術的手段は、翼部１６に糸挿通部１９が貫通状に形成され、この糸挿通部１９に縫い糸２１を挿通して翼部１６が傘布５の外周部５ａに縫い付けられている点にある。
また、本発明の他の技術的手段は、前記糸挿通部１９は、翼部１６に貫通形成した挿通孔又は翼部１６の外面に貫通状に没入形成した挿通溝により構成されている点にある。
【０００７】
また、本発明の他の技術的手段は、各翼部１６に糸挿通部１９がそれぞれ形成され、各翼部１６が別々の縫い糸２１によりそれぞれ別個に傘布５の外周部５ａに縫い付けられている点にある。
また、本発明の他の技術的手段は、前記一対の翼部１６は、一方の翼部１６の糸挿通部１９と他方の翼部１６の糸挿通部１９とに挿通した共通の縫い糸２１で傘布５の外周部５ａに縫い付けられている点にある。
【０００８】
また、本発明の他の技術的手段は、前記糸挿通部１９は翼部１６に対して傘布５の厚み方向に貫通形成されている点にある。
また、本発明に係る傘の最も好ましい技術的手段は、傘骨４の先端部に設けられた露先１３が、傘骨４の先端部に外嵌装着される嵌合部１５と、嵌合部１５の先端側から傘布５の周方向両側に突設された一対の翼部１６とを備え、一対の翼部１６が傘布５の外周部５ａに固着されていて、翼部１６に糸挿通部１９が貫通状に形成され、この糸挿通部１９に縫い糸２１を挿通して翼部１６が傘布５の外周部５ａに縫い付けられており、傘布５の外周部５ａは、内布部１０を外布部９に対して折り返して逢着されたものとされており、縫い糸２１は、外布部９の外面に露出しないように、内布部１０のみに縫い付けられている点にある。
【発明の効果】
【０００９】
本発明によれば、一対の翼部によって露先の先端側を傘布の周方向にげることができると共に、傘骨の外周方向に広がった一対の翼部が傘布に固着されるため、傘布の外周部を傘骨の先端部に安定に位置決め固定しておくことができる。しかも、一対の翼部が傘布の外周部に固着さているのみで、傘骨の先端部が傘布の外周部で被覆されていないため、傘
布の外周部が傘骨の先端部で傷つけられて破損するのを防ぐことができる。
【図面の簡単な説明】
【００１０】
【図１】本発明の第１実施形態を示す傘骨の先端部の斜視図である。
【図２】同図１のＡ−Ａ線拡大断面図であり、縫い糸による縫い付け部分は模式的に図示している。
【図３】同図１のＢ−Ｂ線拡大断面図であり、縫い糸による縫い付け部分は模式的に図示している。
【図４】同傘を開いた状態の底面図である。
【図５】第２実施形態を示す傘骨の先端部の斜視図である。
【図６】同図５のＣ−Ｃ線拡大断面図であり、縫い糸による縫い付け部分は模式的に図示している。
【図７】第３実施形態を示す傘骨の先端部の斜視図である。
【図８】同図７のＤ−Ｄ線拡大断面図であり、縫い糸による縫い付け部分は模式的に図示している。
【図９】第４実施形態を示す傘骨の先端部の斜視図である。
【図１０】同図９のＥ−Ｅ線拡大断面図であり、縫い糸による縫い付け部分は模式的に図示している。
【図１１】第５実施形態を示す傘骨の先端部の拡大断面図であり、縫い糸による縫い付け部分は模式的に図示している。
【発明を実施するための形態】
【００１１】
以下、本発明の実施の形態を図面に基づいて説明する。
図１〜図４は本発明の第１実施形態を示している。図１において、傘１は、中棒３と複数の傘骨４と傘布５とを備え、中棒３の下部に把持部７が取り付けられ、中棒３の上部から傘骨４が放射状に突出され、中棒３に上下摺動自在に外嵌した図示省略のロクロを上下摺動することにより、傘骨４が中棒３の上部から外側方に放射状に広がる開状態と、中棒３に沿うように下方に縮まる閉状態とに開閉するように構成されている。
【００１２】
図１〜図４において、傘布５は複数の傘骨４を上側から覆うように配置され、各傘骨４に複数箇所で図示省略の連結紐で連結されている。傘布５の外周部は外布部９と内布部１０と中布部１１とを有するように三つ巻きにして縫着ａされている。
各傘骨４の先端部に露先１３が設けられている。露先１３は、合成樹脂や木材や金属等によって一体に形成され、傘骨４の先端部に外嵌装着される嵌合部１５と、嵌合部１５の先端側から傘布５の周方向両側に突設された一対の翼部１６とを備え、一対の翼部１６が傘布５の外周部に縫い付けにより固着されている。
【００１３】
嵌合部１５は傘骨４の長手方向に長い長方形の板状に形成され、基部側端面から先端部に亘って嵌合孔１８が形成されており、嵌合孔１８に傘骨４の先端部を挿入することによって、嵌合部１５が傘骨４の先端部に外嵌装着されている。翼部１６は長方形の板状に形成されており、嵌合部１５及び翼部１６の角部には角張らないように曲面（アール）が形成されている。
【００１４】
翼部１６の中央部に挿通孔による糸挿通部１９（１９ａ）が設けられ、翼部１６の外端面に挿通溝による糸挿通部１９（１９ｂ）が設けられている。糸挿通部１９ａは挿通孔を翼部１６の中央部に傘布５の厚み方向に貫通形成してなり、糸挿通部１９ｂは翼部１６の外面である外端面に没入形成した挿通溝を傘布５の厚み方向に貫通状に形成してなる。
縫い糸２１を、翼部１６の糸挿通部１９ａと糸挿通部１９ｂとに挿通すると共に翼部１６の傘布５とは反対側に巻回して傘布５の外周部に縫い付けることによって、翼部１６が傘布５の外周部に縫い付けられている。縫い糸２１は内布部１０のみに縫い付けられ、傘布５の外面（外布部９の外面）には露出しないようになっている。
【００１５】
従って、前記糸挿通部１９（１９ａ，１９ｂ）は、それぞれ翼部１６に貫通形成した挿通孔又は翼部１６の外面に貫通状に没入形成した挿通溝により構成され、一対の翼部１６にそれぞれ糸挿通部１９ａと糸挿通部１９ｂとが傘骨４の長手方向に対応して設けられており、対応する糸挿通部１９ａと糸挿通部１９ｂとを利用して、各翼部１６が別々の縫い
糸２１によりそれぞれ別個に傘布５の外周部に縫い付けられている。
【００１６】
而して、露先１３は、傘１を開いた状態で、傘布５の内面側であって傘布５の外周部５ａの内側に略納まるように配設されている。なお、露先１３の先端部が傘布５の外周部５ａからやや外方に突出してもよいし、露先１３の全体が傘布５の外周部５ａの内側に完全に納まるようにしてもよい。
前記第１実施形態によれば、一対の翼部１６により露先１３の先端側が傘布５の周方向に広がったものとなる。しかも、傘骨４の外周方向に広がった一対の翼部１６が傘布５に縫い付けて固着されるため、傘布５の外周部を一対の翼部１６の２箇所で傘骨４の先端部に安定に位置決め固定しておくことができる。また、一対の翼部１６が傘布５の外周部５ａに固着さているのみで、傘骨４の先端部が傘布５の外周部５ａで被覆されていないため、傘布５の外周部５ａが傘骨４の先端部で傷つけられて破損するのを防ぐことができる。
【００１７】
図５及び図６は第２実施形態を示し、一対の翼部１６に、それぞれ挿通孔による糸挿通部１９（１９ａ）が２つずつ設けられ、２つの糸挿通部１９ａは挿通孔を翼部１６に傘骨４の長手方向に対応して傘布５の厚み方向に貫通形成してなる。
縫い糸２１を、翼部１６の対応する２つの糸挿通部１９ａに挿通すると共に翼部１６の傘布５とは反対側に巻回して傘布５の外周部５ａに縫い付けることによって、各翼部１６が別々の縫い糸２１によりそれぞれ別個に傘布５の外周部５ａに縫い付けられている。各縫い糸２１は内布部１０のみに縫い付けられ、傘布５の外面には露出しないようになっている。
【００１８】
図７及び図８は第３実施形態を示し、一対の翼部１６に、それぞれ挿通溝による糸挿通部１９（１９ｂ）が２つずつ設けられ、２つの糸挿通部１９ｂは挿通溝を翼部１６の外面である外端面又は内端面に凹溝状に没入して傘布５の厚み方向に貫通形成してなる。各翼部１６の２つの糸挿通部１９ｂは傘骨４の長手方向に対応している。
縫い糸２１を、翼部１６の糸挿通部１９ｂと糸挿通部１９ｂとに挿通すると共に翼部１６の傘布５とは反対側に巻回して傘布５の外周部５ａに縫い付けることによって、各翼部１６が別々の縫い糸２１によりそれぞれ別個に傘布５の外周部５ａに縫い付けられている。
【００１９】
図９及び図１０は第４実施形態を示し、一対の翼部１６に、それぞれ挿通孔による糸挿通部１９（１９ａ）が１つずつ設けられ、各糸挿通部１９ａは挿通孔を各翼部１６の中央部に傘布５の厚み方向に貫通形成してなる。
縫い糸２１を、一方の翼部１６の糸挿通部１９ａと他方の翼部１６の糸挿通部１９ａとに挿通すると共に一対の翼部１６乃至嵌合部１５の先端部に傘布５とは反対側に巻回して傘布５の外周部５ａに縫い付けることによって、一対の翼部１６が共通の縫い糸２１で傘布５の外周部５ａに縫い付けられている。
【００２０】
図１１は第５実施形態を示し、一対の翼部１６に、それぞれ挿通孔による糸挿通部１９（１９ａ）が１つずつ設けられ、各糸挿通部１９ａは挿通孔を各翼部１６の中央部に傘骨４の長手方向に貫通形成してなる。
縫い糸２１を、各翼部１６の糸挿通部１９ａに挿通すると共に翼部１６の外端面と内端面とに巻回して傘布５の外周部５ａに縫い付けることによって、一対の翼部１６が別々の縫い糸２１により傘布５の外周部５ａにそれぞれ縫い付けられている。
【００２１】
この第５実施形態の場合、各翼部１６に１つの糸挿通部１９（１９ａ，ｂ）を設けるだけで、各翼部１６を別々の縫い糸２１によりそれぞれ別個に傘布５の外周部５ａに縫い付けることができる。
なお、前記実施形態では、翼部１６に複数の糸挿通部１９が貫通状に形成され、これら複数の糸挿通部１９に縫い糸２１を挿通して翼部１６が傘布５の外周部５ａに縫い付けることにより、翼部１６を傘布５の外周部５ａに固着しているが、これに代え、一対の翼部１６を接着剤等で傘布５の外周部５ａに接着して固着するようにしてもよいし、面ファスナー等を介して一対の翼部１６を傘布５の外周部５ａに着脱自在に固着するようにしてもよい。
【符号の説明】
【００２２】
１      傘
４      傘骨
５      傘布
１３    露先
１５    嵌合部
１６    翼部
１９    糸挿通部
１９ａ  糸挿通部
１９ｂ  糸挿通部
【図１】
0006389809.tif 000002
【図２】
0006389809.tif 000003
【図３】
0006389809.tif 000004
【図４】
0006389809.tif 000005
【図５】
0006389809.tif 000006
【図６】
0006389809.tif 000007
【図７】
0006389809.tif 000008
【図８】
0006389809.tif 000009
【図９】
0006389809.tif 000010
【図１０】
0006389809.tif 000011
【図１１】
0006389809.tif 000012